(57)【要約】【課題】極めて簡単な構成により、押入れに収納する収納物の大きさに応じてすのこの横巾を伸縮調整することができ、これにより、座布団等の小さめのものから市販されている布団等の大きさのものまで、十分に囲って押入れの内壁面に接触させずに良好に収納することができる極めて実用性に秀れたＬ形すのこを提供すること。【解決手段】縦桟１と横桟２とを交差させて成るすのこ体の端部同志を回動自在に連結し、平面視Ｌ字状に立設可能に構成したＬ形すのこにおいて、一方のすのこ体４の端部に対して他方のすのこ体５を離反方向に移動調整自在に構成した伸縮調整機構６を備えたＬ形すのこ。【選択図】        図２
2004293201.tif 000002
【特許請求の範囲】
【請求項１】
縦桟と横桟とを交差させて成るすのこ体の端部同志を回動自在に連結し、平面視Ｌ字状に立設可能に構成したＬ形すのこにおいて、一方のすのこ体の端部に対して他方のすのこ体を離反方向に移動調整自在に構成した伸縮調整機構を備えたことを特徴とするＬ形すのこ。
【請求項２】
前記一方のすのこ体の端部にスライドガイド部を回動自在に設け、前記他方のすのこ体の端部に前記スライドガイド部が係合し得る係合部を設けて前記伸縮調整機構を構成し、若しくは、前記他方のすのこ体の端部にスライドガイド部を設け、前記一方のすのこ体の端部に前記スライドガイド部に係合する係合部を回動自在に設けて前記伸縮調整機構を構成したことを特徴とする請求項１記載のＬ形すのこ。
【請求項３】
前記スライトガイド部としてスライドガイド杆を採用し、前記係合部として前記スライドガイド杆が伸縮方向にスライド嵌合し得る形状に形成した係合溝を採用したことを特徴とする請求項１，２のいずれか１項に記載のＬ形すのこ。
【請求項４】
縦桟と横桟とを交差させて成るすのこ体の端部同志を回動自在に連結し、平面視Ｌ字状に立設可能且つ折り畳み可能に構成したＬ形すのこにおいて、一方のすのこ体の端部にスライドガイド部を回動自在に設け、他方のすのこ体の端部に前記スライドガイド部に係合する係合部を設けて、前記スライドガイド部に前記係合部を係合し、このスライドガイド部に沿って係合部をスライド移動することで、前記一方のすのこ体に対して前記他方のすのこ体を離反方向にスライド移動調整し得るように構成したことを特徴とするＬ形すのこ。
【発明の詳細な説明】
【０００１】
【発明の属する技術分野】
本発明は、折り畳み自在のＬ形すのこに関するものである。
【０００２】
【従来の技術及び発明が解決しようとする課題】
例えば、押入れの中に布団を収納する際、布団が押入れの内壁面に直接接触することを阻止し、また、良好な通気性を得られるようにしたＬ形のすのこが市販されている。
【０００３】
このＬ形のすのこによれば、押入れ内部の角部に立設し、Ｌ形に囲まれたすのこの内部に布団を収納載置することで、押入れに収納した布団と、押入れの内壁面との間に所定の隙間を形成し、これにより、布団が押入れの内壁面に直接接触して汚れてしまうことを阻止でき、また、すのこは縦桟及び横桟を夫々所定間隔を置いて交差させて形成されていることから、これら縦桟と横桟との隙間を介して良好な通気性を確保して布団にカビが発生しないようにできる。
【０００４】
しかしながら、このＬ形のすのこは、Ｌ形に囲まれたすのこ内部に十分収まる大きさの座布団等であれば、はみ出すことなく収納することができるが、このＬ形のすのこ内部に収まり切れない大きさの布団等は、すのこ内部からはみ出てしまうという問題点がある。
【０００５】
具体的に述べれば、市販されている布団，マットレスのほとんどは、その横巾が９５〜１１０ｃｍに設定されており、一方、市販されているＬ形すのこの一辺あたりの横巾は、７５〜８０ｃｍに設定されている。
【０００６】
これにより、市販されている布団等を押入れにＬ形すのこを用いて収納すると、この布団等の一端がＬ形のすのこ内部からはみ出てしまい、このはみ出た部位が押入れ内壁面に接触して汚れてしまう。
【０００７】
そこで、本発明は、上記問題点に鑑み検討，試作を繰り返してこれを解決したもので、極めて簡単な構成により、押入れに収納する収納物の大きさに応じてすのこの横巾を伸縮調整することができ、これにより、座布団等の小さめのものから市販されている布団等の大きさのものまで、十分に囲って押入れの内壁面に接触させずに良好に収納することができる極めて実用性に秀れたＬ形すのこを提供することを目的としている。
【０００８】
【課題を解決するための手段】
添付図面を参照して本発明の要旨を説明する。
【０００９】
縦桟１と横桟２とを交差させて成るすのこ体の端部同志を回動自在に連結し、平面視Ｌ字状に立設可能に構成したＬ形すのこにおいて、一方のすのこ体４の端部に対して他方のすのこ体５を離反方向に移動調整自在に構成した伸縮調整機構６を備えたことを特徴とするＬ形すのこに係るものである。
【００１０】
また、前記一方のすのこ体４の端部にスライドガイド部７を回動自在に設け、前記他方のすのこ体５の端部に前記スライドガイド部７が係合し得る係合部８を設けて前記伸縮調整機構６を構成し、若しくは、前記他方のすのこ体５の端部にスライドガイド部７を設け、前記一方のすのこ体４の端部に前記スライドガイド部７に係合する係合部８を回動自在に設けて前記伸縮調整機構６を構成したことを特徴とする請求項１記載のＬ形すのこに係るものである。
【００１１】
また、前記スライトガイド部７としてスライドガイド杆７を採用し、前記係合部８として前記スライドガイド杆７が伸縮方向にスライド嵌合し得る形状に形成した係合溝８を採用したことを特徴とする請求項１，２のいずれか１項に記載のＬ形すのこに係るものである。
【００１２】
また、縦桟１と横桟２とを交差させて成るすのこ体の端部同志を回動自在に連結し、平面視Ｌ字状に立設可能且つ折り畳み可能に構成したＬ形すのこにおいて、一方のすのこ体４の端部にスライドガイド部７を回動自在に設け、他方のすのこ体５の端部に前記スライドガイド部７に係合する係合部８を設けて、前記スライドガイド部７に前記係合部８を係合し、このスライドガイド部７に沿って係合部８をスライド移動することで、前記一方のすのこ体４に対して前記他方のすのこ体５を離反方向にスライド移動調整し得るように構成したことを特徴とするＬ形すのこに係るものである。
【００１３】
【発明の実施の形態】
好適と考える本発明の実施の形態（発明をどのように実施するか）を、図面に基づいてその作用効果を示して簡単に説明する。
【００１４】
伸縮調整機構６を伸長操作すると、一方のすのこ体４に回動自在に連結した他方のすのこ体５が、前記一方のすのこ体４に対して離れる方向に移動することとなる。
【００１５】
これにより、一方のすのこ体４と他方のすのこ体５とにより囲まれた内部のスペースを拡大できることとなる。
【００１６】
一方、伸縮調整機構６を縮小操作すると、前記他方のすのこ体４が、前記一方のすのこ体４に近づく方向に移動することとなる。
【００１７】
これにより、一方のすのこ体４と他方のすのこ体５とにより囲まれた内部のスペースを縮小できることとなる。
【００１８】
従って、本発明は、例えば押入れに収納する布団等の大きさに応じてすのこ内部のスペースを拡大したり縮小したりすることができ、これにより、例えば市販の布団を押入れに収納する際には、すのこの横巾を伸長調整することで、すのこ内部のスペースから布団が極めて飛び出しにくく、これにより、押入れの内壁面に接触してしまうことのないようにして前記布団を収納することができ、また、座布団などの小さめのものを押し入れに収納する場合には、すのこの横巾を縮小調整することで、すのこをなるべくコンパクトな状態として、前記座布団をすのこ内部に良好に収納することができる極めて実用性に秀れた画期的なＬ形すのことなる。
【００１９】
また、例えば、前記一方のすのこ体４の端部にスライドガイド部７を回動自在に設け、前記他方のすのこ体５の端部に前記スライドガイド部７が係合する係合部８を設けて前記伸縮調整機構６を構成し、若しくは、前記他方のすのこ体５の端部にスライドガイド部７を設け、前記一方のすのこ体４の端部に前記スライドガイド部７に係合する係合部８を回動自在に設けて前記伸縮調整機構６を構成すれば、前記一方のすのこ体４に対して前記他方のすのこ体５を離反方向にスライド調整し得る前記伸縮調整機構６を簡易な構成により実現でき、これにより、例えば押入れに収納する布団などの大きさに合わせて横巾を可変し得るすのこを簡単に形成できることとなるなど、一層実用的となる。
【００２０】
また、例えば、前記スライトガイド部７としてスライドガイド杆７を採用し、前記係合部８として前記スライドガイド杆７が伸縮方向にスライド嵌合し得る形状に形成した係合溝８を採用すれば、スライドガイド杆７に係合溝８を係合すると、このスライドガイド杆７と前記係合溝８とは嵌合状態となり、これにより、一方のすのこ体４に対して他方のすのこ体５が離脱してしまうことなく離反方向にスライド移動調整できることとなるため、より一層簡易な構成により、スムーズなスライド移動を実現し得る伸縮調整機構６を簡単に形成できることとなるなど、一層実用的となる。
【００２１】
また、例えば、一方のすのこ体４の端部にスライドガイド部７を回動自在に設け、他方のすのこ体５の端部に前記スライドガイド部７に係合する係合部８を設けて、前記スライドガイド部７を前記係合部８に係合し、このスライドガイド部７に沿って係合部８をスライド移動させることで、前記一方のすのこ体４に対して前記他方のすのこ体５を離反方向にスライド移動調整し得るように構成すれば、前記作用効果を確実に実現できるＬ形すのこを形成できることとなるなど、一層実用的となる。
【００２２】
【実施例】
図面は本発明の一実施例を図示したものであり、以下に説明する。
【００２３】
本実施例は、図１，図２に示すように、縦桟１と横桟２とを交差させて成るすのこ体の端部同志を回動自在に連結して平面視Ｌ字状に立設可能且つ折り畳み自在に構成し、一方のすのこ体４の端部に対して他方のすのこ体５を離反方向に移動調整自在に構成した伸縮調整機構６を備えた木製のＬ形すのこに関するものである。
【００２４】
前記伸縮調整機構６は、図３，図４に示すように、前記一方のすのこ体４の端部に回動自在に設けたスライドガイド部７と、前記他方のすのこ体５の端部に設けた前記スライドガイド部７に係合する係合部８とから成る構成としている。
【００２５】
即ち、一方のすのこ体４は、縦桟１を左右方向に複数所定間隔を置いて配設し、この複数の縦桟１に対して直交するように横桟２を上下方向に複数配設した構成とし、この横桟２のうち、一方のすのこ体３の上端部及び下端部に配設された夫々の横桟２の一端側を同方向に所定長さだけ突設してこの突設した前記横桟２の夫々の端部に回動部９となる膨出部９を設けた構成としている（図５参照）。
【００２６】
この回動部９には、回動軸１０（若しくは回動軸受孔）を設けた構成としている。
【００２７】
そして、この回動部９の回動軸１０によりスライドガイド部７を水平方向に回動自在に軸着した構成としている。
【００２８】
具体的には、スライドガイド部７には、図３，図５に示すように、所定長さを有するガイド杆７Ａを設け、このガイド杆７Ａの一端部に回動部７Ｂとなる膨出部７Ｂを設けた構成とし、この回動部７Ｂを前記一方のすのこ体４の回動部９に回動自在に連結した構成としている。
【００２９】
即ち、回動部７Ｂには、回動軸受孔１１（若しくは回動軸部）を設け、この回動部７Ｂの回動軸受孔１１に、前記横桟２の一端部の回動部９に設けた回動軸１０に軸着することで、一方のすのこ体４に対してスライドガイド部７を水平方向に回動自在に軸着した構成としている。
【００３０】
ガイド杆７Ａは、図３，図４に示すように、両端部を除いて断面視Ｌ字状に形成した構成としている。
【００３１】
具体的には、所定長さを有する角材の断面から見え一角部を長さ方向に切削することで、断面視Ｌ字状のガイド杆７Ａを形成した構成としている。これにより、ガイド杆７Ａは、角材を断面から見て一角部を単に切欠するだけで形成することができる。ガイド杆７Ａの両端部を切欠しないのは、このガイド杆７Ａに沿って後述の係合部８をスライド移動した際に、このスライド移動する係合部８の端部に当接して前記係合部８のスライド移動を阻止するためのストッパー７Ｃを形成するためである。尚、ガイド杆７Ａのうち断面視Ｌ字状の形成部位の長さを所望の長さに調整することで、一方のすのこ体４に対する他方のすのこ体５のスライド移動長さを所定長さに設定することができる。本実施例では、座布団などの小さめのものから、市販されている大きめの布団まで囲むことが可能となる長さに、前記ガイド杆７Ａの断面視Ｌ字状部位の長さを設定している。
【００３２】
尚、本実施例では、ガイド杆７Ａの切欠部位とは逆側のガイド杆７Ａの所定部位、即ち、一方のすのこ体４の横桟２と当接するガイド杆７Ａ部位と回動部７Ｂとの間にもストッパー１２を設けた構成としている。
【００３３】
そして、他方のすのこ体５の端部に前記断面Ｌ字状のガイド杆７Ａが伸縮方向にスライド係合し得る係合溝８を設けた構成としている。
【００３４】
即ち、他方のすのこ体５は、前記一方のすのこ体４と同様、縦桟１を左右方向に複数所定間隔を置いて配設し、この複数の縦桟１に対して直交するように横桟２を上下方向に複数配設した構成とし、この他方のすのこ体５の上端部若しくは下端部に夫々配設された横桟２に沿って前記係合溝８を形成し得る溝形成体８Ａを所定間隔を置いて並設することで、この横桟２と溝形成体８Ａとにより前記係合溝８を形成した構成としている。
【００３５】
具体的には、所定長さを有する溝形成体８Ａを断面視Ｌ字状に形成し、この断面視Ｌ字状に形成した溝形成体８Ａの上端面部を、他方のすのこ体５の端部に配設された横桟２に沿って付設し、これにより、他方のすのこ体５の端部に断面視Ｌ字状の係合溝８を形成した構成している。
【００３６】
更に具体的には、前記係合溝８は、所定長さを有する角材の一角部を長さ方向に切欠することで形成した構成としている。これにより、係合溝８は、他方のすのこ体５の横桟２を利用し、また、角材の一角部を長さ方向に切欠するだけで得られる溝形成体８Ａを付設するだけで形成できるため、簡単に製造することができる。
【００３７】
尚、符号１３は、押入れの底面に敷設して布団などの収納物を載置する市販のすのこである。
【００３８】
係合溝８にガイド杆７を係合し、この係合溝８に対してガイド杆７Ａが伸縮方向にスライド移動することで、一方のすのこ体４に対して他方のすのこ体５を離反方向にスライド移動調整できるように構成している。この際、一方のすのこ体４の上下両端部に設けた断面視Ｌ字状のガイド杆７Ａに、他方のすのこ体５の上下両端部に設けた、ガイド杆７Ａに対して断面視逆Ｌ字状となる係合溝８が嵌合することとなるため、ガイド杆７Ａは係合溝８に対してこのガイド杆７Ａが伸縮する方向とは直交する方向には容易に脱離せず、一方、伸縮方向には容易に伸縮移動できることとなる。
【００３９】
即ち、一方のすのこ体４の端部と他方のすのこ体５の端部とが近接した状態から他方のすのこ体５を一方のすのこ４に対して引動すると、一方のすのこ体４の端部に設けたガイド杆７Ａが他方のすのこ体５の端部に設けた係合溝８に対して伸長移動し、これにより、一方のすのこ体４に対して他方のすのこ体５を離反方向にスライド移動できることとなる。
【００４０】
そして、他方のすのこ体５を一方のすのこ体４に対して更に引動すると、係合溝８を形成する溝形成体８Ａの端部に、ガイド杆７の端部に形成したストッパー７Ｃ（前述のように、ガイド杆７の端部を断面視Ｌ字状に切り欠かないことで形成される。）及びストッパー１２が当接し、これにより、溝形成体８Ａはストッパー７Ｃに突き当たり係止して係合溝８に対してガイド杆７Ａが突き当たり係止し、よって、ガイド杆７Ａが抜け外れてしまうことを阻止できることとなる（この際、一方のすのこ体４に対する他方のすのこ体５の離反巾は最大となる）。
【００４１】
一方、前記一方のすのこ体４に対して他方のすのこ体５が離反した状態から、他方のすのこ体５を一方のすのこ体４に近接する方向へ押動すると、一方のすのこ体４の端部に設けたガイド杆７Ａが他方のすのこ体５の端部に設けた係合溝８に対して縮まる方向へ移動し、これにより、一方のすのこ体４に対して他方のすのこ体５が近づくこととなる。
【００４２】
そして、他方のすのこ体５を一方のすのこ体４に向けて更に押動すると、係合溝８を形成する溝形成体８Ａの端部に、ガイド杆７Ａの端部に形成したストッパー７Ｃ，１２が当接して突き当たり係止し、これにより、一方のすのこ体４の端部と他方のすのこ体５の端部とが近接した状態となる（この際、一方のすのこ体４に対する他方のすのこ体５の離反巾は最小となる。）。
【００４３】
また、一方のすのこ体４に対して他方のすのこ体５は、一方のすのこ体４に回動自在に設けたスライドガイド部７により連結されているため、スライドガイド杆７の回動に伴い、折り畳み可能となる。
【００４４】
従って、本実施例のすのこ体は、押入れに収納する布団などの大きさに応じて一方のすのこ体４に対する他方のすのこ体５の離反距離を所定距離にスライド調整でき、これにより、図６に示すような、前記布団を押入れの壁面に当接することを阻止しつつ通気が良好な状態で収納することができ、しかも、この一方のすのこ体４に対する他方のすのこ体５の離反方向へのスライド調整を可能とする伸縮調整機構６は、角材を所定形状に削ったり、この削った部材をすのこに付設するだけで形成できるため極めて製造が簡単であり、よって、実用性に秀れる上にコスト安に製造することもできる画期的なＬ形すのことなる。
【００４５】
即ち、伸縮調整機構６を構成するガイド杆７Ａは、角材の一角部を両端部を除いて切削するだけで形成することができ、また、係合溝８は、他方のすのこ体の横桟２を利用して、この横桟２の端部に前記横桟２に沿って角材の一角部を切欠して形成した溝形成体８Ａを付設するだけで形成できるため、前記伸縮調整機構６は極めて簡単に形成でき、よって、一方のすのこ体４に対して他方のすのこ体５を離反方向にスライド調整することができるＬ形のすのこを極めて簡単に製造することができる。
【００４６】
尚、本実施例では、伸縮調整機構６を構成するガイド杆７Ａを断面Ｌ字状とし、このガイド杆７Ａに係合する係合溝８を断面視逆Ｌ字状としたが、簡易に製造することができ、係合部８に対してスライドガイド部７が伸縮方向にスライド移動し得るものであれば、これ以外の形状でも良い。
【００４７】
また、本実施例では、ガイド杆７Ａ及び溝形成体８Ａを、角材を断面から見て一角部を切欠することで形成した構成としたが、これに限られるものではなく、例えば丸棒材を所定形状に切欠することで、スライドガイド部７や溝形成体８Ａを形成しても良い。
【００４８】
しかしながら、本実施例によれば、角材の一角部を単に切削し、また、この切削した部材を単に付設したりするだけで極めて簡単に伸縮調整機構６を製造することができる。
【００４９】
【発明の効果】
本発明は上述のように構成したから、極めて簡単な構成により、押入れに収納する収納物の大きさに応じてすのこの横巾を伸縮調整することができ、これにより、座布団等の小さめのものから市販されている布団等の大きさのものまで、十分に囲って押入れ内で良好に収納することができる極めて実用性に秀れたＬ形すのことなる。
【００５０】
また、請求項２記載の発明においては、すのこの横巾を伸縮し得る伸縮調整機構を簡単に形成でき、これにより、極めて容易且つコスト安に設計実現することができる極めて実用性に秀れたＬ形すのことなる。
【００５１】
また、請求項３記載の発明においては、伸縮調整機構を一層簡易に形成でき、また、簡易な作動により、すのこの横巾を伸縮することができる極めて実用性に秀れたＬ形すのことなる。
【００５２】
また、請求項４記載の発明においては、前記作用効果を確実且つ良好に発揮することができる極めて実用性に秀れたＬ形すのことなる。
【図面の簡単な説明】
【図１】本実施例の説明斜視図である。
【図２】本実施例の使用状態を示す説明斜視図である。
【図３】本実施例の伸縮調整機構を示す説明斜視図である。
【図４】本実施例の伸縮調整機構を示す拡大説明平面図である。
【図５】本実施例の一方のすのこ体と他方のすのこ体とを回動自在に連結する軸部を示す説明分解斜視図である。
【図６】本実施例の使用状態を示す説明平面図である。
【符号の説明】
１  縦桟
２  横桟
４  すのこ体
５  すのこ体
６  伸縮調整機構
７  スライドガイド部（スライドガイド杆）
８  係合部（係合溝）
【図１】
2004293201.tif 000003
【図２】
2004293201.tif 000004
【図３】
2004293201.tif 000005
【図４】
2004293201.tif 000006
【図５】
2004293201.tif 000007
【図６】
2004293201.tif 000008